(57)【要約】【課題】互いに無線通信可能に結合された２つの施錠機構体を備える連携型施錠システムでは、ドアが設けられている住居の住人や連携型施錠システムの管理会社に対して、例えば２つの施錠機構体間での無線通信や各施錠機構体での施解錠動作がどのような状態にあるかを通知することができない。【解決手段】電気錠セットは、第１の通信部を有する第１の電気錠と、第１の通信部と無線通信する第２の通信部を有する第２の電気錠とを備え、第１の通信部および第２の通信部の少なくとも一方は、第１の電気錠および第２の電気錠の動作に関する情報を出力する。【選択図】図１
2018184763.tif 000002
【特許請求の範囲】
【請求項１】
第１の通信部を有する第１の電気錠と、
前記第１の通信部と無線通信する第２の通信部を有する第２の電気錠と
を備え、
前記第１の通信部および前記第２の通信部の少なくとも一方は、前記第１の電気錠および前記第２の電気錠の動作に関する情報を出力する
電気錠セット。
【請求項２】
第１の通信部を有する第１の電気錠と、
第２の通信部を有する第２の電気錠と、
前記第１の通信部および前記第２の通信部の少なくとも一方と無線通信する外部通信部と
を備え、
前記第１の通信部及び前記第２の通信部は、相互間での無線通信、及び、前記外部通信部との無線通信の少なくとも一方を行い、
前記外部通信部は、前記第１の電気錠および前記第２の電気錠の動作に関する情報を出力する
電気錠セット。
【請求項３】
前記第１の電気錠および前記第２の電気錠の何れか一方は、前記第１の電気錠および前記第２の電気錠の少なくとも一方において予め定められたイベントが生じる毎に前記予め定められたイベントに関する情報を記録する記録部を更に有し、
前記記録部に記録された前記予め定められたイベントに関する情報を含む前記動作に関する情報を出力する
請求項１に記載の電気錠セット。
【請求項４】
前記第１の電気錠、前記第２の電気錠および前記外部通信部の何れか１つは、前記第１の電気錠および前記第２の電気錠の少なくとも一方において予め定められたイベントが生じる毎に前記予め定められたイベントに関する情報を記録する記録部を更に有し、
前記記録部に記録された前記予め定められたイベントに関する情報を含む前記動作に関する情報を出力する
請求項２に記載の電気錠セット。
【請求項５】
前記第１の電気錠は更に、前記第１の電気錠において第１の予め定められたイベントが生じる毎に前記第１の予め定められたイベントに関する情報を記録する第１の記録部を有し、
前記第２の電気錠は更に、前記第２の電気錠において第２の予め定められたイベントが生じる毎に前記第２の予め定められたイベントに関する情報を記録する第２の記録部を有し、
前記第１の記録部に記録された前記第１の予め定められたイベントに関する情報と、前記第２の記録部に記録された前記第２の予め定められたイベントに関する情報とを含む前記動作に関する情報を出力する
請求項１または２に記載の電気錠セット。
【請求項６】
前記第１の電気錠は更に、前記第１の電気錠および前記第２の電気錠おいて第１の予め定められたイベントが生じる毎に前記第１の予め定められたイベントに関する情報を記録する第１の記録部を有し、
前記第２の電気錠は更に、前記第１の電気錠および前記第２の電気錠おいて第２の予め定められたイベントが生じる毎に前記第２の予め定められたイベントに関する情報を記録する第２の記録部を有し、
前記第１の記録部に記録された前記第１の予め定められたイベントに関する情報と、前記第２の記録部に記録された前記第２の予め定められたイベントに関する情報とを含む前記動作に関する情報を出力する
請求項１または２に記載の電気錠セット。
【請求項７】
前記予め定められたイベントは、予め定められた種類のエラーである
請求項３から６の何れか一項に記載の電気錠セット。
【請求項８】
前記第１の電気錠および前記第２の電気錠の何れか一方は、前記第１の電気錠および前記第２の電気錠の前記動作に関する情報を定期的に記録する記録部を更に有し、
前記記録部に定期的に記録された前記動作に関する情報を出力する
請求項１に記載の電気錠セット。
【請求項９】
前記第１の電気錠、前記第２の電気錠および前記外部通信部の何れか１つは、前記第１の電気錠および前記第２の電気錠の前記動作に関する情報を定期的に記録する記録部を更に有し、
前記記録部に定期的に記録された前記動作に関する情報を出力する
請求項２に記載の電気錠セット。
【請求項１０】
前記第１の電気錠は更に、前記第１の電気錠の動作に関する情報を定期的に記録する第１の記録部を有し、
前記第２の電気錠は更に、前記第２の電気錠の動作に関する情報を定期的に記録する第２の記録部を有し、
前記第１の記録部に定期的に記録された前記第１の電気錠の前記動作に関する情報、及び、前記第２の記録部に定期的に記録された前記第２の電気錠の前記動作に関する情報を出力する
請求項１または２に記載の電気錠セット。
【請求項１１】
前記第１の電気錠は更に、前記第１の電気錠および前記第２の電気錠の前記動作に関する情報を定期的に記録する第１の記録部を有し、
前記第２の電気錠は更に、前記第１の電気錠および前記第２の電気錠の前記動作に関する情報を定期的に記録する第２の記録部を有し、
前記第１の記録部に定期的に記録された前記動作に関する情報、及び、前記第２の記録部に定期的に記録された前記動作に関する情報の少なくとも一方を出力する
請求項１または２に記載の電気錠セット。
【請求項１２】
予め定められた手順を前記第１の電気錠および前記第２の電気錠に実行させ、前記予め定められた手順を実行したときの前記動作に関する情報を出力する
請求項１または２に記載の電気錠セット。
【請求項１３】
前記動作に関する情報を、外部端末に出力する
請求項１から１２の何れか一項に記載の電気錠セット。
【請求項１４】
前記動作に関する情報が入力されると、前記動作に関する情報を表示する表示部
を更に備える、請求項１から１３の何れか一項に記載の電気錠セット。
【請求項１５】
前記動作に関する情報は、前記第１の電気錠および前記第２の電気錠のそれぞれの動作のエラーに関する情報を有する
請求項１から１４の何れか一項に記載の電気錠セット。
【請求項１６】
前記動作に関する情報は、前記第１の電気錠および前記第２の電気錠のそれぞれの電源に関する情報を有する
請求項１から１５の何れか一項に記載の電気錠セット。
【請求項１７】
前記動作に関する情報は、前記第１の通信部と前記第２の通信部との間における通信状態に関する情報を有する
請求項１、３、８、並びに、請求項１に従属する場合の請求項５から７及び１０から１６、の何れか一項に記載の電気錠セット。
【請求項１８】
前記動作に関する情報は、前記第１の通信部と前記第２の通信部との間における通信状態に関する情報、並びに、前記第１の通信部および前記第２の通信部の前記少なくとも一方と前記外部通信部との間における通信状態に関する情報の少なくとも１つを有する
請求項２、４、９、並びに、請求項２に従属する場合の請求項５から７及び１０から１６、の何れか一項に記載の電気錠セット。
【請求項１９】
前記通信状態に関する情報は、予め定められた種類の通信エラー発生原因の情報を含み、
前記予め定められた種類の通信エラー発生原因は、外乱、通信環境不良、ハードウェアの故障、ソフトウェアのバグ、通信設定の不備、および、通信機器の取り付け不備の少なくとも１つを含む
請求項１７または１８に記載の電気錠セット。
【請求項２０】
前記通信状態に関する情報は、通信エラーの予め定められた種類の詳細情報を含み、
前記予め定められた種類の詳細情報は、空きチャネルの有無情報、通信電波の強弱情報、および、通信ノイズの多少情報の少なくとも１つを含む
請求項１７から１９の何れか一項に記載の電気錠セット。
【請求項２１】
前記動作に関する情報は、前記第１の電気錠および前記第２の電気錠について設定されている動作の設定に関する情報を有する
請求項１から２０の何れか一項に記載の電気錠セット。
【請求項２２】
第１の通信部を有する第１の電気錠と、
前記第１の通信部と無線通信する第２の通信部を有する第２の電気錠と、
前記第１の電気錠および前記第２の電気錠における施錠動作および解錠動作の少なくとも一方を実行させるためのＩＤを有する携帯型端末と
を備え、
前記第１の通信部および前記第２の通信部の少なくとも一方は、前記第１の電気錠および前記第２の電気錠の動作に関する情報を前記携帯型端末に出力する
電気錠システム。
【請求項２３】
第１の通信部を有する第１の電気錠と、
第２の通信部を有する第２の電気錠と、
前記第１の電気錠および前記第２の電気錠における施錠動作および解錠動作の少なくとも一方を実行させるためのＩＤを有する携帯型端末と、
前記第１の通信部および前記第２の通信部の少なくとも一方と無線通信し、前記携帯型端末と無線通信する外部通信部と
を備え、
前記第１の通信部及び前記第２の通信部は、相互間での無線通信、及び、前記外部通信部との無線通信の少なくとも一方を行い、
前記外部通信部は、前記第１の電気錠および前記第２の電気錠の動作に関する情報を前記携帯型端末に出力する
電気錠システム。
【発明の詳細な説明】
【技術分野】
【０００１】
本発明は、電気錠セットおよび電気錠システムに関する。
【背景技術】
【０００２】
ドアに取り付けられ、互いに無線通信可能に結合された２つの施錠機構体を備える連携型施錠システムであって、２つの施錠機構体のうちの一方の施解錠作動が、他方との無線通信をトリガして、他方を施解錠作動させるものが知られている（例えば、特許文献１参照）。
［先行技術文献］
［特許文献］
［特許文献１］特公表２０１６−５１０８４７号公報
【発明の概要】
【発明が解決しようとする課題】
【０００３】
しかしながら、上記の連携型施錠システムは、例えばドアが設けられている住人が扉の解錠操作を行っても適切に解錠されないといった不具合が生じた場合に、住人はその不具合の原因を特定して管理会社に知らせることができず、管理会社の人間が現場に来たとしても、その原因を容易に特定することができない。
【課題を解決するための手段】
【０００４】
本発明の一態様においては、第１の通信部を有する第１の電気錠と、第１の通信部と無線通信する第２の通信部を有する第２の電気錠とを備え、第１の通信部および第２の通信部の少なくとも一方は、第１の電気錠および第２の電気錠の動作に関する情報を出力する電気錠セットを提供する。
【０００５】
本発明の一態様においては、第１の通信部を有する第１の電気錠と、第２の通信部を有する第２の電気錠と、第１の通信部および第２の通信部の少なくとも一方と無線通信する外部通信部とを備え、第１の通信部及び第２の通信部は、相互間での無線通信、及び、外部通信部との無線通信の少なくとも一方を行い、外部通信部は、第１の電気錠および第２の電気錠の動作に関する情報を出力する電気錠セットを提供する。
【０００６】
本発明の一態様においては、第１の通信部を有する第１の電気錠と、第１の通信部と無線通信する第２の通信部を有する第２の電気錠と、第１の電気錠および第２の電気錠における施錠動作および解錠動作の少なくとも一方を実行させるためのＩＤを有する携帯型端末とを備え、第１の通信部および第２の通信部の少なくとも一方は、第１の電気錠および第２の電気錠の動作に関する情報を携帯型端末に出力する電気錠システムを提供する。
【０００７】
本発明の一態様においては、第１の通信部を有する第１の電気錠と、第２の通信部を有する第２の電気錠と、第１のロック部および第２のロック部における施錠動作および解錠動作の少なくとも一方を実行させるためのＩＤを有する携帯型端末と、第１の通信部および第２の通信部の少なくとも一方と無線通信し、携帯型端末と無線通信する外部通信部とを備え、第１の通信部及び第２の通信部は、相互間での無線通信、及び、外部通信部との無線通信の少なくとも一方を行い、外部通信部は、第１の電気錠および第２の電気錠の動作に関する情報を携帯型端末に出力する電気錠システムを提供する。
【０００８】
上記の発明の概要は、本発明の必要な特徴の全てを列挙したものではない。これらの特徴群のサブコンビネーションもまた発明となり得る。
【図面の簡単な説明】
【０００９】
【図１】第１の実施形態による住居１５に設けられた電気錠システム１０の模式図である。
【図２】第１の実施形態による扉２０に設けられた上側電気錠１１０の模式図である。
【図３】第１の実施形態による扉２０に設けられた下側電気錠１５０の模式図である。
【図４】第１の実施形態による各構成間での通信方式を説明するための説明図である。
【図５】第１の実施形態によるエラー履歴データベースの一例を説明するための説明図である。
【図６】第２の実施形態による各構成間での通信方式を説明するための説明図である。
【図７】第３の実施形態による各構成間での通信方式を説明するための説明図である。
【図８】第４の実施形態による各構成間での通信方式を説明するための説明図である。
【図９】第５の実施形態による各構成間での通信方式を説明するための説明図である。
【図１０】第６の実施形態による各構成間での通信方式を説明するための説明図である。
【図１１】第７の実施形態による住居１５に設けられた電気錠システム１０の模式図である。
【発明を実施するための形態】
【００１０】
以下、発明の実施の形態を通じて本発明を説明する。下記の実施形態は特許請求の範囲にかかる発明を限定するものではない。また、実施形態の中で説明されている特徴の組み合わせの全てが発明の解決手段に必須であるとは限らない。
【００１１】
図１は、第１の実施形態による、住居１５に設けられた電気錠システム１０の模式図である。電気錠システム１０は、住居１５の内側１７と外側１６とを仕切る玄関の扉２０に設けられて扉２０を電気的に施解錠する電気錠セット１００と、住居１５の内側１７における例えばキッチンといった離れた部屋に設けられる操作盤４０と、ユーザ１２によって所有される携帯型端末３０とを備える。電気錠セット１００は、電気的に携帯型端末３０のＩＤ情報を認証する。操作盤４０および携帯型端末３０は、外部端末の一例である。
【００１２】
ユーザ１２は、例えば住居１５の住人や、電気錠システム１０の管理会社の人間である。携帯型端末３０は、例えば住人によって所有されるスマートフォンや、管理会社の人間によって携帯される管理端末である。携帯型端末３０は、近距離無線通信により、電気錠セット１００とデータ通信する。近距離無線通信規格として、例えばＢＬＥ（Ｂｌｕｅｔｏｏｔｈ（登録商標）  Ｌｏｗ  Ｅｎｅｒｇｙ）、Ｚｉｇｂｅｅ（登録商標）、ＮＦＣ（Ｎｅａｒ  Ｆｉｅｌｄ  Ｃｏｍｍｕｎｉｃａｔｉｏｎ）などを用いてもよい。ＮＦＣとして、電磁誘導式のＦｅｌｉＣａ（登録商標）を用いてもよい。
【００１３】
電気錠セット１００は、扉２０のハンドル２２よりも上側に位置する上側電気錠１１０と、ハンドル２２よりも下側に位置する下側電気錠１５０とを備える。電気錠セット１００は、上側電気錠１１０および下側電気錠１５０における施解錠動作を実行することによって、扉２０を施解錠する。上側電気錠１１０および下側電気錠１５０における施解錠動作は、電子キーの接近や外部端末からの遠隔操作により自動で実行されてもよく、鍵穴への鍵の挿入及び回転やサムターンの回転により手動で実行されてもよい。
【００１４】
電気錠セット１００は、上記の通り、近距離無線通信等により携帯型端末３０と無線通信する他に、電磁誘導式や電波式のＲＦＩＤ（Ｒａｄｉｏ  Ｆｒｅｑｕｅｎｙ  Ｉｄｅｎｔｉｆｅｒ）により、上側電気錠１１０および下側電気錠１５０を施解錠するためのカードキー、ノンタッチキー、リモコンキー等の電子キーと無線通信してもよい。また、電気錠セット１００は、Ｗｉ−Ｆｉ（登録商標）などを用いた無線ＬＡＮにより、操作盤４０とデータ通信する。電気錠セット１００は、有線通信により、操作盤４０とデータ通信してもよい。
【００１５】
電気錠セット１００は更に、上側電気錠１１０および下側電気錠１５０の動作に関する情報を、外部端末である携帯型端末３０及び操作盤４０の少なくとも一方に出力する。これにより、住居１５の内側１７又は外側１６で携帯型端末３０を所持するユーザ１２や、住居１５の内側１７で操作盤４０を見ることができるユーザ１２に対して、上側電気錠１１０および下側電気錠１５０の動作に関する情報を通知する。
【００１６】
携帯型端末３０は、上側電気錠１１０および下側電気錠１５０における施解錠動作を実行させるためのＩＤキーを有する。ユーザ１２は、上側電気錠１１０および下側電気錠１５０の何れか一方に携帯型端末３０を接近させることによって、又は、携帯型端末３０を手持ちのカバン等に入れた状態で扉２０に接近することによって、扉２０を施解錠できる。外部端末の一例として、上記のＩＤキーを有する携帯型端末３０を例示したが、外部端末には、管理会社の人間によって携帯される、当該ＩＤキーを有さない管理端末が含まれてもよい。例えば、携帯型端末３０を所有するユーザ１２が住居１５の住人である場合には、携帯型端末３０は、ＩＤキーで各電気錠の施解錠動作を実行させる機能と、各電気錠の動作に関する情報を取得する機能とを有し、その一方で、管理端末を携帯するユーザ１２が管理会社の人間である場合には、管理端末は、各電気錠の動作に関する情報を取得する機能のみを有してもよい。
【００１７】
上側電気錠１１０および下側電気錠１５０は、近距離無線通信により、互いにデータ通信する。近距離無線通信規格として、例えばＢＬＥを用いてもよい。ＢＬＥを用いる場合、上側電気錠１１０および下側電気錠１５０は、互いに予めペアリングしており、電源がＯＮの状態である限り、常に互いに無線通信する。上側電気錠１１０および下側電気錠１５０の施解錠動作は、無線通信により互いに連動する。例えば、上側電気錠１１０および下側電気錠１５０の一方において施解錠動作を実行する場合に、当該一方から他方に対して、追従して施解錠動作をするよう指示を出し、他方に施解錠動作を実行させてもよい。また、上側電気錠１１０および下側電気錠１５０以外に設けられた制御部からの指示により、上側電気錠１１０および下側電気錠１５０は互いに同じタイミングで施解錠動作を実行してもよい。
【００１８】
上側電気錠１１０および下側電気錠１５０の少なくとも一方は、ユーザ１２の操作によって電気錠セット１００全体を起動させるための起動ボタンを有してもよい。この場合、ユーザ１２によって起動ボタンを押されるまでスリープモードとなり、起動ボタンを押されるとアクティブモードとなり、予め定められた時間が経過すると再びスリープモードとなってもよい。また、上側電気錠１１０および下側電気錠１５０は、起動ボタンの操作とは関係なく、定期的に起動して、操作盤４０などの外部端末と無線通信を開始してもよい。
【００１９】
操作盤４０は、上側電気錠１１０および下側電気錠１５０における施解錠動作を実行させるための施解錠ボタンを有する。ユーザ１２は、扉２０から離れた場所にある操作盤４０の施解錠ボタンを操作することによって、扉２０を施解錠できる。
【００２０】
次に、図２及び図３を用いて、上側電気錠１１０および下側電気錠１５０の詳細を説明する。図２は、第１の実施形態による、扉２０に設けられた上側電気錠１１０の模式図である。
【００２１】
上側電気錠１１０は、扉２０の内側１７の面上に設けられる構成として、中空の上側内筐体１２４と、上側内筐体１２４の外面に取り付けられ、手動で上側電気錠１１０を施解錠するための上側サムターン１１６と、上側内筐体１２４の内部に収容される、上側制御部１１２、上側メモリ１３６、上側電源１３２、及び、上側残量計測部１３４とを備える。上側サムターン１１６、上側メモリ１３６、上側電源１３２、及び、上側残量計測部１３４は何れも、上側制御部１１２に有線接続される。
【００２２】
上側電気錠１１０は更に、扉２０の内部に組み込まれる構成として、上側デッドボルト１２０と、上側デッドボルト１２０を一方向に進退させるように駆動する上側アクチュエータ１２８と、上側デッドボルト１２０の進退方向における位置を検出する上側位置検出部１３８と、扉２０の開閉状態を検出する上側開閉検出部１４０とを備える。上側アクチュエータ１２８、上側位置検出部１３８、及び、上側開閉検出部１４０は何れも、上側制御部１１２に有線接続される。上側アクチュエータ１２８は、例えば電気式モータやソレノイドであってもよい。
【００２３】
上側電気錠１１０は更に、扉２０の外側１６の面上に設けられる構成として、中空の上側外筐体１２６と、上側外筐体１２６の内側に収容される上側通信部１１３及び上側音声出力部１３０と、上側外筐体１２６と隣接して設けられ、工具を用いずに取り外し可能な中空の上側シリンダカバー１２２と、上側シリンダカバー１２２の内側に収容される上側シリンダ１１８とを備える。上側通信部１１３、上側音声出力部１３０、及び、上側シリンダ１１８は何れも、上側制御部１１２に有線接続される。上側音声出力部１３０は、電気信号を物理振動に変えて、音楽や音声などの音を生み出すスピーカである。上側シリンダ１１８は、鍵が差し込まれる穴を有し、鍵の形状が穴の内部形状と合致する場合に、鍵が差し込まれた状態で回転する。上側シリンダ１１８は、内部での鍵の回転情報を、上側制御部１１２に出力する。なお、上側外筐体１２６には、予期せずに上側電気錠１１０の電源が無くなってしまった場合に外部から給電するための非常用電源端子部が設けられてもよい。
【００２４】
上側制御部１１２は、ＣＰＵ等から構成され、上側メモリ１３６に記憶された制御プログラムを読み込むことによって複数の処理を実行する。また、制御プログラムは、可搬メディアを介してインストールされてもよく、インターネット等からダウンロードされてインストールされてもよい。
【００２５】
上側メモリ１３６は、ハードディスクドライブ等の不揮発性メモリによって構成される。上側メモリ１３６は、記録部の一例である。上側メモリ１３６には、上側制御部１１２によって使用される制御プログラムの他、複数の電気錠のＩＤ情報、上側電気錠１１０の動作に関する情報のデータベース等が予め記憶されている。上側メモリ１３６は、上側電気錠１１０の動作に関する情報が入力されるとデータベースに記録する。
【００２６】
上側メモリ１３６は、上側電気錠１１０において予め定められたイベントが生じる毎に、予め定められたイベントに関する情報をデータベースに記録する。予め定められたイベントが何であるかは、上側メモリ１３６に予め記憶されている。上側電気錠１１０の動作に関する情報は、予め定められたイベントに関する情報を含む。予め定められたイベントは、上側電気錠１１０の解錠および施錠、扉２０の開扉および閉扉、予め定められた種類のエラー等を含む。予め定められた種類のエラーは、上側電気錠１１０の施錠エラーおよび解錠エラー、扉２０の開扉エラーおよび閉扉エラー、通信機器間の通信エラー等を含む。通信機器間の通信エラーは、上側電気錠１１０と下側電気錠１５０との間での通信エラー、上側電気錠１１０と外部端末との間での通信エラー等を含む。上側電気錠１１０が外部に更に通信部を有する場合には、上側通信部１１３と外部の通信部との間の通信エラーも含む。通信エラーとは、例えば一方の通信端末から他方の通信端末に何らかの情報を送信したにも拘わらず他方の通信端末で受信されていない場合や、一方の通信端末から他方の通信端末に対してｐｉｎｇを打ったにも拘わらず応答が返ってこない場合や、一方の通信端末から他方の通信端末に対して、何らかの情報を、アックを返す指示と共に送信したにも拘わらず一方の通信端末でアックを受信できない場合などである。
【００２７】
上側電源１３２は、例えばリチウム電池であり、上側電気錠１１０の全体に電力を供給する。上側電源１３２によって、例えば約２年程度の期間にわたる継続使用が可能になる。上側電源１３２は、外部電源から無線通信又は有線通信により給電されて蓄電可能な構成としてもよく、例えば操作盤の電源から無線通信又は有線通信により給電されてもよい。
【００２８】
上側残量計測部１３４は、上側制御部１１２からの指示信号が入力されると、上側電源１３２の電源残量を計測して、計測した電源残量値を上側制御部１１２に出力する。上側制御部１１２は、入力された電源残量値を上側メモリ１３６に記録するか、又は、上側通信部１１３に出力して操作盤４０または携帯型端末３０に送信させることによってユーザ１２に通知する。上側制御部１１２は、入力された電源残量値が、上側メモリ１３６に記憶されている予め定められた閾値を下回っているか否かを判断してもよく、更に、閾値を下回っている場合に、予め定められた音声信号を上側音声出力部１３０に出力し、上側音声出力部１３０が音声信号に基づいて予め定められた音声を出力してもよい。これにより、ユーザ１２は、例えば上側電源１３２の交換、又は、上側電源１３２への給電の必要性を知ることができる。
【００２９】
上側デッドボルト１２０は、扉２０が閉じられた状態で扉２０の側面から突き出た場合に、扉２０の周囲を囲うように住居１５に設けられた枠に埋設されているストライクの開口と係合する。上側デッドボルト１２０は、扉２０を施錠するロック部の一例である。ロック部には、上側デッドボルト１２０と共にストライクの開口と係合することにより扉２０の施錠状態を強固に固定するための鎌や、上側デッドボルト１２０、鎌などを可動させるための複数のカムや軸受などの駆動機構が含まれてもよい。
【００３０】
上側位置検出部１３８は、光学式、電気式、磁気式などの任意のセンサ、例えば光電センサ、静電容量センサ、ホール素子などであり、上側デッドボルト１２０の進退方向における位置を検出し、検出した上側デッドボルト１２０の位置情報を上側制御部１１２に出力する。上側制御部１１２は、入力された上側デッドボルト１２０の位置情報を上側メモリ１３６に記録するか、又は、上側通信部１１３に出力して操作盤４０または携帯型端末３０に送信させることでユーザ１２に通知する。上側制御部１１２は、施錠動作を上側デッドボルト１２０に実行させた場合には、上側デッドボルト１２０の位置が施錠位置にあるか否かを判断し、且つ、解錠動作を上側デッドボルト１２０に実行させた場合には、上側デッドボルト１２０の位置が解錠位置にあるか否かを判断する。施錠位置とは、上側デッドボルト１２０が扉２０の側面から完全に出切っている位置であり、解錠位置とは、上側デッドボルト１２０が扉２０の側面の内側に完全に退避している位置である。上側制御部１１２は、上側デッドボルト１２０に対して施錠動作を実行させたにも拘わらず上側デッドボルト１２０が施錠位置以外にある場合に、施錠エラーとして上側メモリ１３６に記録する。上側制御部１１２は、上側デッドボルト１２０に対して解錠動作を実行させたにも拘わらず上側デッドボルト１２０が解錠位置以外にある場合に、解錠エラーとして上側メモリ１３６に記録する。上側制御部１１２は、施錠エラーおよび解錠エラーを上側メモリ１３６に記録することに代えて、又は追加して、施錠エラー情報および解錠エラー情報を上側通信部１１３に出力して操作盤４０または携帯型端末３０に送信させることで、ユーザ１２に通知してもよい。
【００３１】
上側開閉検出部１４０は、上側位置検出部１３８と同様に、光学式、電気式、磁気式などの任意のセンサ、例えば光電センサ、静電容量センサ、ホール素子などであり、扉２０の開閉状態を検出し、検出した扉２０の開閉情報を上側制御部１１２に出力する。上側制御部１１２は、入力された扉２０の開閉情報を上側メモリ１３６に記録するか、又は、上側通信部１１３に出力して操作盤４０または携帯型端末３０に送信させることでユーザ１２に通知する。上側制御部１１２は、上側開閉検出部１４０によって検出された扉２０の状態が閉状態である場合には、上側位置検出部１３８によって検出された上側デッドボルト１２０の位置が施錠位置にあるか否かを判断し、且つ、上側開閉検出部１４０によって検出された扉２０の状態が開状態である場合には、上側位置検出部１３８によって検出された上側デッドボルト１２０の位置が解錠位置にあるか否かを判断する。上側制御部１１２は、扉２０の状態が閉状態であるにも拘わらず上側デッドボルト１２０が施錠位置以外にある場合に、閉扉エラーとして上側メモリ１３６に記録する。上側制御部１１２は、扉２０の状態が開状態であるにも拘わらず上側デッドボルト１２０が解錠位置以外にある場合に、開扉エラーとして上側メモリ１３６に記録する。上側制御部１１２は、閉扉エラーおよび開扉エラーを上側メモリ１３６に記録することに代えて、又は追加して、閉扉エラー情報および開扉エラー情報を上側通信部１１３に出力して操作盤４０または携帯型端末３０に送信させることで、ユーザ１２に通知してもよい。
【００３２】
上側通信部１１３は、上記の通信方式の何れか、例えばＢＬＥを用いて、携帯型端末３０と無線通信する。上側通信部１１３は、同様に、下側電気錠１５０とも無線通信する。
【００３３】
住居の外側１６にいるユーザ１２は、通常、電子キーや携帯型端末３０を上側通信部１１３に接近させてＩＤ情報を読み取らせることにより、上側電気錠１１０の施解錠動作を自動で実行させる。上側電気錠１１０の施解錠動作が自動で実行される場合、上側電気錠１１０と下側電気錠１５０との間の無線通信により、下側電気錠１５０の施解錠動作も連動して自動で実行される。すなわち、上側電気錠１１０の施錠動作が自動で実行される場合、下側電気錠１５０の施錠動作も自動で実行され、上側電気錠１１０の解錠動作が自動で実行される場合、下側電気錠１５０の解錠動作も自動で実行される。
【００３４】
具体的には、先ず、上側通信部１１３に読み取られたＩＤ情報は、上側制御部１１２に出力される。上側制御部１１２は、上側メモリ１３６に記憶された登録ＩＤ情報を参照し、読み取ったＩＤが登録されているか否かを判断する。
【００３５】
上側制御部１１２は、読み取ったＩＤが登録ＩＤであると判断した場合に、上側デッドボルト１２０を一方向に進退させるための信号を上側アクチュエータ１２８に出力し、上側アクチュエータ１２８を駆動させることで上側デッドボルト１２０を施錠位置または解錠位置に移動させる。上側アクチュエータ１２８への信号出力と同時に、上側制御部１１２は、下側電気錠１５０においても同じ施解錠動作を実行させるための信号を上側通信部１１３に出力し、上側通信部１１３は当該信号を下側電気錠１５０に送信する。このとき、上側制御部１１２は、読み取ったＩＤが登録ＩＤであることをユーザ１２に通知すべく、予め定められた音声信号を上側音声出力部１３０に出力し、上側音声出力部１３０が音声信号に基づいて予め定められた音声を出力してもよい。
【００３６】
上側制御部１１２は、読み取ったＩＤが登録ＩＤではないと判断した場合、上側アクチュエータ１２８に上側デッドボルト１２０を一方向に進退させるための信号を出力しない。このとき、上側制御部１１２は、読み取ったＩＤが登録ＩＤではないことをユーザ１２に通知すべく、予め定められた音声信号を上側音声出力部１３０に出力し、上側音声出力部１３０が音声信号に基づいて予め定められた音声を出力してもよい。
【００３７】
しかしながら、例えば上側電気錠１１０の動作が適切に行われない場合には、ユーザ１２は、上側シリンダカバー１２２を取り外して、所有している鍵を上側シリンダ１１８に挿入及び回転することにより、上側電気錠１１０の施解錠動作を手動で実行させてもよい。具体的には、上側シリンダ１１８内での鍵の回転情報は、上側制御部１１２に出力され、上側制御部１１２が上側アクチュエータ１２８に上側デッドボルト１２０を一方向に進退させるための信号を出力し、上側アクチュエータ１２８を駆動させることで上側デッドボルト１２０を施錠位置または解錠位置に移動させる。
【００３８】
住居１５の内側１７にいるユーザ１２は、通常、上側サムターン１１６を把持して回転することにより、上側電気錠１１０の施解錠動作を手動で実行する。具体的には、上側サムターン１１６は、ユーザ１２によって回転されると、回転方向を示す情報を上側制御部１１２に出力する。上側制御部１１２は、回転方向を示す情報に基づいて、上側デッドボルト１２０を一方向に進退させるための信号を上側アクチュエータ１２８に出力し、上側アクチュエータ１２８を駆動させることで上側デッドボルト１２０を施錠位置または解錠位置に移動させる。上側アクチュエータ１２８への信号出力と同時に、上側制御部１１２は、下側電気錠１５０においても同じ施解錠動作を実行させるための信号を上側通信部１１３に出力し、上側通信部１１３は当該信号を下側電気錠１５０に送信する。なお、上側サムターン１１６は、他の方法で上側電気錠１１０が施解錠されると、上側電気錠１１０の施解錠動作に連動して、当該施解錠動作に対応する方向に自動で回転する。なお、上側シリンダ１１８も同様に、鍵の挿入及び回転以外の方法で上側電気錠１１０が施解錠されると、上側電気錠１１０の施解錠動作に連動して、当該施解錠動作に対応する方向に自動で回転する。
【００３９】
図３は、第１の実施形態による、扉２０に設けられた下側電気錠１５０の模式図である。下側電気錠１５０は、上側電気錠１１０の各構成と同じ構成を有し、図３に示される通り、各構成の配置も上側電気錠１１０の各構成の配置と同じである。下側電気錠１５０は、下側制御部１５２、下側通信部１５３、下側サムターン１５６、下側シリンダ１５８、下側デッドボルト１６０、下側シリンダカバー１６２、下側内筐体１６４、下側外筐体１６６、下側アクチュエータ１６８および下側音声出力部１７０を備える。下側電気錠１５０は更に、下側電源１７２、下側残量計測部１７４、下側メモリ１７６、下側位置検出部１７８および下側開閉検出部１８０を備える。下側電気錠１５０の各構成の機能は、上側電気錠１１０の対応する構成の機能と同じなので、説明の簡略化を目的として、重複する説明を省略する。
【００４０】
図４は、第１の実施形態による、各構成間での通信方式を説明するための説明図である。図４に示される通り、本実施形態における上側通信部１１３は上側リーダ１１４および上側錠間通信部１１５を含み、下側通信部１５３も同様に、下側リーダ１５４および下側錠間通信部１５５を含む。上側錠間通信部１１５および下側錠間通信部１５５は、相互に無線通信する。
【００４１】
ここで、先ず、住居１５の外側１６にいるユーザ１２が、所持している携帯型端末３０を用いて住居１５の内側１７に入る場合の流れを説明する。上側リーダ１１４および下側リーダ１５４は、ユーザ１２によって接近された携帯型端末３０のＩＤ情報を、無線通信により読み取る。上側リーダ１１４で携帯型端末３０のＩＤ情報を読み取った場合には、読み取られた携帯型端末３０のＩＤ情報は、有線通信により上側制御部１１２に出力される。上側制御部１１２は、上側メモリ１３６に記憶された登録ＩＤ情報を参照し、携帯型端末３０のＩＤが登録ＩＤであるか否かを判断し、登録ＩＤの場合には、有線通信により上側錠間通信部１１５に解錠の指示信号を出力して、上側錠間通信部１１５に、当該指示信号を下側錠間通信部１５５へと送信させる。なお、上側制御部１１２は、解錠の指示信号を上側錠間通信部１１５に出力すると同時に、上側シリンダ１１８に上側デッドボルト１２０を解錠動作させるための指示信号を出力する。なお、上側電気錠１１０の上側制御部１１２が、携帯型端末３０のＩＤが登録ＩＤであるか否かを判断し、解錠の指示信号を上側シリンダ１１８のみならず下側電気錠１５０にも出力し、下側電気錠１５０が当該指示信号に従って動作する場合、上側電気錠１１０はいわゆるマスタであり、下側電気錠１５０はいわゆるスレイブである。
【００４２】
下側リーダ１５４で携帯型端末３０のＩＤ情報を読み取った場合には、読み取られた携帯型端末３０のＩＤ情報は、有線通信により下側制御部１５２に出力される。下側制御部１５２は、上記と同様に、携帯型端末３０のＩＤが登録ＩＤの場合には、有線通信により下側錠間通信部１５５に解錠の指示信号を出力して、下側錠間通信部１５５に、当該指示信号を上側錠間通信部１１５へと送信させる。なお、下側制御部１５２は、解錠の指示信号を下側錠間通信部１５５に出力すると同時に、下側シリンダ１５８に下側デッドボルト１６０を解錠動作させるための指示信号を出力する。なお、下側電気錠１５０の下側制御部１５２が、携帯型端末３０のＩＤが登録ＩＤであるか否かを判断し、解錠の指示信号を下側シリンダ１５８のみならず上側電気錠１１０にも出力し、上側電気錠１１０が当該指示信号に従って動作する場合、下側電気錠１５０はマスタであり、上側電気錠１１０はスレイブである。
【００４３】
なお、追加的に又は代替的に、上側リーダ１１４および下側リーダ１５４の何れか一方で携帯型端末３０のＩＤ情報を読み取った場合に、ＩＤ情報を読み取った側のリーダから他方のリーダにＩＤ情報を無線通信により送信し、他方のリーダが属する電気錠の制御部に出力して、当該制御部が登録ＩＤ情報を参照して携帯型端末３０のＩＤが登録ＩＤであるか否かを判断してもよい。
【００４４】
住居１５の外側１６にいるユーザ１２が、所持している携帯型端末３０を用いて扉２０を施錠する場合の流れは、上記の流れと同じである。本実施形態においては、上側制御部１１２および下側制御部１５２は、上側デッドボルト１２０および下側デッドボルト１６０を解錠位置に移動させた後に、上側リーダ１１４または下側リーダ１５４で再び携帯型端末３０のＩＤ情報を読み取るまで、上側デッドボルト１２０および下側デッドボルト１６０を解錠位置のままとする。同様に、上側制御部１１２および下側制御部１５２は、上側デッドボルト１２０および下側デッドボルト１６０を施錠位置に移動させた後に、上側リーダ１１４または下側リーダ１５４で再び携帯型端末３０のＩＤ情報を読み取るまで、上側デッドボルト１２０および下側デッドボルト１６０を施錠位置のままとする。
【００４５】
なお、代替的に、上側制御部１１２および下側制御部１５２は、上側デッドボルト１２０および下側デッドボルト１６０を解錠位置に移動させた後に、上側リーダ１１４または下側リーダ１５４で再び携帯型端末３０のＩＤ情報を読み取ることなく、扉２０が閉状態で予め定められた時間が経過したときに、上側デッドボルト１２０および下側デッドボルト１６０を施錠位置に移動させてもよい。また、上側制御部１１２および下側制御部１５２は、予め定められた時間内に、上側リーダ１１４または下側リーダ１５４で携帯型端末３０のＩＤ情報を繰り返し読み取った回数に応じて、上側デッドボルト１２０および下側デッドボルト１６０を解錠位置に移動させたり、施錠位置に移動させたり、解錠位置のままとしたり、施錠位置のままとしてもよい。
【００４６】
次に、住居１５の外側１６にいるユーザ１２が、所持している携帯型端末３０を用いて、上側電気錠１１０および下側電気錠１５０の動作に関する情報を取得する場合の流れを説明する。
【００４７】
ここで、先ず、上側電気錠１１０および下側電気錠１５０の動作に関する情報について改めて説明する。上側電気錠１１０および下側電気錠１５０の動作に関する情報には、上側電気錠１１０および下側電気錠１５０の解錠情報および施錠情報、扉２０の開扉情報および閉扉情報が含まれてもよい。
【００４８】
また、上側電気錠１１０および下側電気錠１５０の動作に関する情報には、各電気錠の動作のエラーに関する情報が含まれてもよい。動作のエラーに関する情報には、上側電気錠１１０および下側電気錠１５０の各ロック部の一例である、上側サムターン１１６および下側サムターン１５６における施錠動作および解錠動作が適切に実行されたか否かの情報が含まれてもよい。この施解錠動作のエラーに関する情報には、上記で説明したものの他に、上側サムターン１１６および下側サムターン１５６のそれぞれの、施錠位置と解錠位置との間の移動時間の遅延情報や、上側サムターン１１６の移動時間と下側サムターン１５６の移動時間との相違情報などが含まれてもよい。また、当該動作のエラーに関する情報には、扉２０の開状態で上側サムターン１１６および下側サムターン１５６の解錠状態が維持されて、扉２０の閉状態で上側サムターン１１６および下側サムターン１５６の施錠状態が維持されているか否かの情報が含まれてもよい。
【００４９】
また、上側電気錠１１０および下側電気錠１５０の動作に関する情報には、上側電気錠１１０および下側電気錠１５０の電源に関する情報が含まれてもよい。電源に関する情報には、上側電源１３２および下側電源１７２の有無情報、上側電源１３２および下側電源１７２における電源残量の情報などが含まれてもよい。
【００５０】
また、上側電気錠１１０および下側電気錠１５０の動作に関する情報には、上側電気錠１１０および下側電気錠１５０の通信状態に関する情報が含まれてもよい。通信状態に関する情報には、上側通信部１１３と下側通信部１５３との間における通信状態の良不良の情報や、上側通信部１１３および下側通信部１５３の少なくとも一方と、携帯型端末３０または操作盤４０の少なくとも一方との間における通信状態の良不良の情報などが含まれてもよい。上側電気錠１１０および下側電気錠１５０の少なくとも一方が外部に更に通信部を有する場合には、上側通信部１１３および下側電気錠１５０の少なくとも一方と外部の通信部との間における通信状態の良不良の情報などが含まれてもよい。
【００５１】
通信状態に関する情報は、通信エラーの予め定められた種類の詳細情報を含んでもよい。予め定められた種類の詳細情報は、空きチャネルの有無情報、通信電波の強弱情報、および、通信ノイズの多少情報の少なくとも１つを含む。これらの詳細情報は、それぞれの検出結果から直接的に把握できる情報である。
【００５２】
また、通信状態に関する情報は、予め定められた種類の通信エラー発生原因の情報を含んでもよい。通信エラー発生原因とは、通信エラーが発生する原因である。予め定められた種類の通信エラー発生原因は、外乱、通信環境不良、ハードウェアの故障、ソフトウェアのバグ、通信設定の不備、および、通信機器の取り付け不備の少なくとも１つを含む。これらの発生原因は、上記の詳細情報に基づいて導出されてもよい。例えば、外乱および通信環境不良が、空きチャネルが無い、通信電波が弱い、通信ノイズが多い等の情報から導出されてもよい。なお、ここで言う通信設定の不備とは、例えば、そもそもの通信の初期設定の誤りや、通信開始後に生じる設定内容のバグや、通信の設定後に電源交換を行って初期化されたことで生じる設定内容の不意の変更などである。
【００５３】
なお、通信ノイズの多少は、例えば一方の電気錠から他方の電気錠に対して異なる周波数の信号を順に送信して、検出された受信強度から算出してもよい。受信強度の検出は、上側電気錠１１０および下側電気錠１５０で行ってもよく、携帯型端末３０で行ってもよい。また、空きチャネルの有無は、予め定められた複数のチャネルを順に切り替え、それぞれのチャネルで一方の電気錠から他方の電気錠に対して送信した信号が受信できたか否かで判断してもよい。
【００５４】
また、上側電気錠１１０および下側電気錠１５０の動作に関する情報には、上側電気錠１１０および下側電気錠１５０の設定に関する情報が含まれてもよい。設定に関する情報には、上側電気錠１１０および下側電気錠１５０について予め設定されている解錠時間の情報、通知音の音量の情報、通知音の長さの情報、左右勝手の情報などが含まれてもよい。解錠時間とは、電気錠が解錠動作を実行してから自動的に施錠状態に戻るまでの時間である。また、設定に関する情報には、上側電気錠１１０についての設定と、下側電気錠１５０についての設定との間の整合性に関する情報が含まれてもよい。ユーザ１２は、上側電気錠１１０についての設定と、下側電気錠１５０についての設定との間で整合性が取れていないことを知ることによって、具体的には例えば、上側電気錠１１０の解錠時間と下側電気錠１５０の解錠時間とが異なって設定されていることを知ることによって、解錠時間の相違に起因する不具合の発生を未然に防ぐことや、不具合が出る可能性があることを事前に認知することや、不具合が生じたときに迅速に原因を特定できることができる。
【００５５】
このような上側電気錠１１０および下側電気錠１５０の動作に関する情報が、上側メモリ１３６および下側メモリ１７６の各データベースに記録されている場合について説明する。
【００５６】
上側リーダ１１４および下側リーダ１５４は、ユーザ１２によって接近された携帯型端末３０から送信される、上側電気錠１１０および下側電気錠１５０の動作に関する情報を要求する要求信号を、無線通信により受信する。当該要求信号には、上記の上側電気錠１１０および下側電気錠１５０の動作に関する情報のうちの特定の種類のもの指定する情報や特定の期間を指定する情報などが含まれてもよい。上側リーダ１１４で要求信号を受信した場合、上側リーダ１１４は、要求信号を有線通信により上側制御部１１２に出力する。また、上側リーダ１１４は、当該要求信号を無線通信により下側リーダ１５４に送信し、下側リーダ１５４は当該要求信号を有線通信により下側制御部１５２に出力する。上側制御部１１２は、上側メモリ１３６のデータベースに記録された上側電気錠１１０の動作に関する情報を読み出して上側リーダ１１４に出力し、上側リーダ１１４に、上側電気錠１１０の動作に関する情報を携帯型端末３０へと送信させる。下側制御部１５２も同様に、下側メモリ１７６のデータベースに記録された下側電気錠１５０の動作に関する情報を読み出して下側リーダ１５４に出力する。下側制御部１５２は、下側リーダ１５４に対して、下側電気錠１５０の動作に関する情報を、上側リーダ１１４を介して又は介さずに、携帯型端末３０へと送信させる。
【００５７】
下側リーダ１５４で要求信号を受信した場合、下側リーダ１５４は、要求信号を有線通信により下側制御部１５２に出力する。また、下側リーダ１５４は、当該要求信号を無線通信により上側リーダ１１４に送信し、上側リーダ１１４は当該要求信号を有線通信により上側制御部１１２に出力する。下側制御部１５２は、下側メモリ１７６のデータベースに記録された下側電気錠１５０の動作に関する情報を読み出して下側リーダ１５４に出力し、下側リーダ１５４に、下側電気錠１５０の動作に関する情報を携帯型端末３０へと送信させる。上側制御部１１２も同様に、上側メモリ１３６のデータベースに記録された上側電気錠１１０の動作に関する情報を読み出して上側リーダ１１４に出力する。上側制御部１１２は、上側リーダ１１４に対して、上側電気錠１１０の動作に関する情報を、下側リーダ１５４を介して又は介さずに、携帯型端末３０へと送信させる。
【００５８】
なお、追加的に又は代替的に、上側メモリ１３６および下側メモリ１７６の少なくとも一方が、上側電気錠１１０および下側電気錠１５０の両方の動作に関する情報を記録しておき、上側リーダ１１４および下側リーダ１５４の何れか一方から、上側電気錠１１０および下側電気錠１５０の両方の動作に関する情報を一括して携帯型端末３０に送信してもよい。
【００５９】
また、追加的に又は代替的に、上側通信部１１３と下側通信部１５３との間で無線通信エラーが生じている可能性を考慮して、先ず、上側リーダ１１４および下側リーダ１５４のそれぞれが要求信号を受信し、両リーダ間で要求信号の送受信を行わずに、各電気錠の動作に関する情報を携帯型端末３０に送信することで、ユーザ１２に各電気錠での異常の有無などを通知してもよい。その後に続けて、上側リーダ１１４および下側リーダ１５４の何れか一方から要求信号を受信し、上側通信部１１３と下側通信部１５３との間で無線通信を実行して、そのときの通信結果を携帯型端末３０に出力することで、上側通信部１１３と下側通信部１５３との間の通信状態に関する情報をユーザ１２に通知してもよい。また、これに代えて、上側リーダ１１４から要求信号を受信する場合には上側メモリ１３６を参照して上側通信部１１３と下側通信部１５３との間の無線通信エラーの記録を携帯型端末３０に出力し、下側リーダ１５４から要求信号を受信する場合には下側メモリ１７６を参照して上側通信部１１３と下側通信部１５３との間の無線通信エラーの記録を携帯型端末３０に出力することで、上側通信部１１３と下側通信部１５３との間の通信状態に関する情報をユーザ１２に通知してもよい。
【００６０】
次に、上側メモリ１３６および下側メモリ１７６のそれぞれに予め格納されているデータベースの一例を、図５を用いて説明する。図５は、第１の実施形態による、エラー履歴データベースの一例を説明するための説明図である。エラー履歴データベースには、各電気錠の動作のエラーに関する情報、具体的には施錠解錠エラーに関する情報および開扉閉扉エラーに関する情報と、通信エラーに関する情報とが記録されている。より具体的には、エラー履歴データベースには、エラーが生じたときに読み取られた携帯型端末３０のＩＤを記録するための携帯型端末ＩＤ欄と、エラーの種類をフラグ「１」で特定するための解錠欄、施錠欄、開扉欄、閉扉欄、錠−錠間通信欄、錠−携帯型端末間通信欄および錠−操作盤間通信欄と、エラーが生じたときの時間を記録するための時間欄とが設けられている。携帯型端末３０のＩＤは、例えば、３桁の数字から構成される。なお、各通信機器間の通信エラーに関しては、例えば、通信良好、一定以上通信可能、及び、全く通信不可能の３段階表示のように、通信状態を段階的な表示で記録してもよい。
【００６１】
図５に示した例において、エラー履歴データベースの上段から、２０１５年４月１５日１１時５０分に、ＩＤ「００１」を有する携帯型端末３０が使用され、解錠エラーが生じたことを示している。同様に、２０１５年５月３０日１７時０３分にＩＤ「００１」を有する携帯型端末３０が使用されて錠−錠間通信エラーが生じたこと、２０１５年６月１５日１７時０６分にＩＤ「００４」を有する携帯型端末３０が使用されて閉扉エラーが生じたことが記録されている。そして、２０１５年６月１６日７時３分にＩＤ「００１」を有する携帯型端末３０が使用されて錠−操作盤間通信エラーが生じたこと、２０１５年６月１８日７時６分にＩＤ「００３」を有する携帯型端末３０が使用されて施錠エラーが生じたことも記録されている。更には、２０１５年６月１８日８時１６分にＩＤ「００２」を有する携帯型端末３０が使用されて錠−携帯型端末間通信エラーが生じ、直後の２０１５年６月１８日８時２３分にＩＤ「００３」を有する携帯型端末３０が使用されて同じ錠−携帯型端末間通信エラーが立て続けに生じたことが記録されている。
【００６２】
ユーザ１２は、図５に示されるエラー履歴データベースに記録されている上側電気錠１１０および下側電気錠１５０のエラーに関する情報を取得することで、上側電気錠１１０および下側電気錠１５０のエラーの発生原因を容易に知ることができるだけでなく、特定の種類のエラーが頻発していること等を知ることによって、上側電気錠１１０および下側電気錠１５０におけるメンテナンスすべき箇所を迅速に特定することができる。
【００６３】
以上、図１から図５を用いて第１の実施形態による電気錠システム１０を説明した。電気錠システム１０の上側電気錠１１０および下側電気錠１５０の動作に関する情報について、ユーザ１２が携帯型端末３０を用いて当該情報を取得する流れとして、上側メモリ１３６および下側メモリ１７６に記録されている履歴を読み出すことを主に説明した。
【００６４】
追加的に又は代替的に、電気錠システム１０は、携帯型端末３０などの外部端末から上側電気錠１１０および下側電気錠１５０の動作に関する情報を出力する要求を受けると、予め定められた手順を上側電気錠１１０および下側電気錠１５０に実行させ、予め定められた手順を実行したときの上側電気錠１１０および下側電気錠１５０の動作に関する情報を取得し、外部端末に出力してもよい。
【００６５】
予め定められた手順は、例えば施解錠動作、錠−錠間の無線通信、錠−携帯型端末間の無線通信、錠−操作盤間の無線通信などを含んでもよい。ユーザ１２は、上記のエラーが生じる前に、当該手順を上側電気錠１１０および下側電気錠１５０に実行させて上側電気錠１１０および下側電気錠１５０の動作に関する情報を取得することができれば、上記のエラーの発生を未然に防ぐことや、エラーが出る可能性があることを事前に認知することができる。
【００６６】
更にまた、電気錠システム１０は、外部端末からの要求を受けずに、定期的に上記の予め定められた手順を実行し、予め定められた手順を実行したときの上側電気錠１１０および下側電気錠１５０の動作に関する情報を、当該手順を実行する度に外部端末に出力してもよく、又は、当該手順を実行する度に上側メモリ１３６および下側メモリ１７６の少なくとも一方に当該情報を記憶させて、予め定められた回数だけ当該手順を実行した後に当該情報の履歴を外部端末に出力してもよい。
【００６７】
これに代えて、電気錠システム１０は、外部端末からの要求を受けずに、且つ、上記の予め定められた手順を実行せずに、定期的に上側電気錠１１０および下側電気錠１５０の動作に関する情報を取得して、取得する度に外部端末に出力してもよく、又は、当該手順を実行する度に上側メモリ１３６および下側メモリ１７６の少なくとも一方に当該情報を記憶させて、予め定められた回数だけ当該情報を取得した後に当該情報の履歴を外部端末に出力してもよい。
【００６８】
上記の予め定められた手順を実行せずに、定期的に取得する上側電気錠１１０および下側電気錠１５０の動作に関する情報には、例えば上側電源１３２および下側電源１７２の電源残量に関する情報、設定に関する情報、上側電気錠１１０および下側電気錠１５０と他の通信端末との間の通信状態に関する情報といった、施解錠動作を伴わない情報が含まれる。この場合の通信状態に関する情報は、例えば一方の通信端末から他方の通信端末にテスト信号を送った場合における他方の通信端末での受信強度情報である。
【００６９】
次に、図６から図１０の各実施形態を用いて、通信方式のバリエーションを説明する。図６から図８の実施形態による電気錠システム１０は、通信方式が、主に図４を用いて説明した第１の実施形態による電気錠システム１０の通信方式と部分的に異なる点、各通信部の配置が異なる点、及び、一部の構成を備えない点を除いては、同じ構成を備える。図９から図１０の実施形態による電気錠システム１０は、通信方式が、図１から図８の各実施形態による電気錠システム１０の通信方式と部分的に異なる点、各通信部の配置が異なる点、一部の構成を備えない点、一部の構成が一部の機能を有さない点、及び、追加的に又は代替的に他の構成を備える点を除いては、同じ構成を備える。よって、以降の実施形態の説明においては、説明の簡略化を目的として、重複する説明を省略する。
【００７０】
図６は、第２の実施形態による、各構成間での通信方式を説明するための説明図である。図６に示される通り、第２の実施形態による電気錠セット１００は、上側電気錠１１０における上側通信部１１３の上側リーダ１１４および上側錠間通信部１１５が、扉２０の室内側と室外側とに別個に設けられ、互いに有線通信する。更に、下側電気錠１５０における下側通信部１５３は、リーダを有さず、上側錠間通信部１１５とのみ無線通信する。
【００７１】
図７は、第３の実施形態による、各構成間での通信方式を説明するための説明図である。図７に示される通り、第３の実施形態による電気錠セット１００は、下側電気錠１５０における下側通信部１５３は、リーダを有さず、上側錠間通信部１１５とのみ無線通信する。なお、本実施形態の上側電気錠１１０の構成は、第１の実施形態における上側電気錠１１０の構成と同じである。
【００７２】
図８は、第４の実施形態による、各構成間での通信方式を説明するための説明図である。図８に示される通り、第４の実施形態による電気錠セット１００は、上側電気錠１１０における上側通信部１１３の上側リーダ１１４および上側錠間通信部１１５が、共に扉２０の室内側に設けられ、上側リーダ１１４は扉２０を間に挟んで室外側の携帯型端末３０と無線通信する。更に、下側電気錠１５０における下側通信部１５３は、リーダを有さず、上側錠間通信部１１５とのみ無線通信する。
【００７３】
図９は、第５の実施形態による、各構成間での通信方式を説明するための説明図である。図９に示される通り、第５の実施形態による電気錠セット１００は、上側通信部１１３および下側通信部１５３が共にリーダを有さず、携帯型端末３０、操作盤４０などの外部端末とは通信しない。上側通信部１１３および下側通信部１５３は、相互間での無線通信を行う。本実施形態の電気錠セット１００は、追加的に、扉２０の室外側の面上に設けられたリーダ１９０を備える。リーダ１９０は、携帯型端末３０、操作盤４０などの外部端末、及び、上側通信部１１３と無線通信する。リーダ１９０は、上側電気錠１１０および下側電気錠１５０の動作に関する情報を外部端末に出力する。リーダ１９０は、第１の実施形態による上側通信部１１３および下側通信部１５３の各機能と実質的に同じ機能を有する。なお、リーダ１９０は、外部通信部の一例である。
【００７４】
図１０は、第６の実施形態による、各構成間での通信方式を説明するための説明図である。第６の実施形態による電気錠セット１００は、第５の実施形態による電気錠セット１００と異なる構成として、上側通信部１１３および下側通信部１５３が相互間での無線通信を行わず、それぞれリーダ１９０のみと無線通信する。
【００７５】
以上、図６から図１０を用いて、通信方式のバリエーションの一例を説明した。図４および図６から図１０の各通信方式は、上記の電気錠システム１０を実現する限りにおいて、任意に変更または組合せが可能である。
【００７６】
次に、図１１を用いて、第１の実施形態による電気錠システム１０の、携帯型端末３０、操作盤４０といった外部端末の変形例を説明する。図１１は、第７の実施形態による、住居１５に設けられた電気錠システム１０の模式図である。本実施形態の電気錠システム１０は、第１の実施形態による電気錠システム１０に対して追加的に又は代替的に、ルータ４５と、サーバ装置６０と、ＰＣ７０とを備える。ルータ４５とサーバ装置６０とは、互いにネットワーク５０を介して無線通信する。ネットワーク５０は、例えばＬＡＮである。サーバ装置６０とＰＣ７０とは、互いに有線通信又は無線通信する。サーバ装置６０およびＰＣ７０は、例えば電気錠セット１００の管理会社が所有するものである。ルータ４５、サーバ装置６０およびＰＣ７０のそれぞれは、外部端末の一例である。なお、サーバ装置６０に代えて、クラウドを用いてもよい。
【００７７】
本実施形態の電気錠セット１００は、追加的に又は代替的に、上側電気錠１１０および下側電気錠１５０の動作に関する情報をルータ４５に送信し、ルータ４５に対して、受信した上側電気錠１１０および下側電気錠１５０の動作に関する情報を、ネットワーク５０を介してサーバ装置６０に送信させ、サーバ装置６０に対して、受信した当該情報をＰＣ７０に出力させる。これにより、ＰＣ７０を所有する遠隔地のユーザ１２、例えば管理会社の人間に、上側電気錠１１０および下側電気錠１５０の動作に関する情報を通知する。当該情報を取得したユーザ１２は、遠隔操作により、又は、住居１５に直接出向いて、扉２０のメンテナンスなどを行うことができる。なお、本実施形態のように、例えばＰＣ７０や携帯型端末３０といった外部端末を所有するユーザ１２が住居１５に不在のときに住居１５に訪問者が来た場合、外部端末が電気錠セット１００における登録ＩＤを有するのであれば、住居１５に設けられたルータ４５とネットワーク５０とを介して、外部端末から電気錠セット１００の施解錠を実行させてもよい。
【００７８】
以上の複数の実施形態において、電気錠セットは、上側電気錠および下側電気錠の動作に関する情報を外部端末、例えばスマホやタブレットなどの携帯型端末、住居内の操作盤やルータ、遠隔地にある管理会社のサーバ装置やＰＣに出力する構成として説明した。追加的に又は代替的に、電気錠セットは、上側電気錠および下側電気錠の動作に関する情報を、上記の上側音声出力部や下側音声出力部に出力してもよく、上側電気錠および下側電気錠に設けられるＬＥＤランプやモニタに出力してもよい。これらの構成は、表示部の一例であって、上側電気錠および下側電気錠の動作に関する情報が入力されると、当該動作に関する情報を表示する。表示部は、上側電気錠および下側電気錠の両方に設けられてもよく、何れか一方に設けられてもよい。表示部が上側電気錠および下側電気錠の両方に設けられる場合、上側電気錠および下側電気錠のそれぞれには、動作に関する情報を出力させるためのトリガとなる開始ボタンが設けられてもよい。表示部が上側電気錠および下側電気錠の一方に設けられる場合、当該開始ボタンは、当該一方の電気錠のみに設けてもよく、両方の電気錠に設けてもよい。
【００７９】
上側電気錠および下側電気錠の動作に関する情報を上側音声出力部および下側音声出力部に出力する場合、上側電気錠と下側電気錠との間で無線通信が適切に行われていることをユーザに知らせるべく、上側電気錠が下側電気錠から信号を受信したら上側音声出力部に音声を出力させ、下側電気錠が上側電気錠から信号を受信したら下側音声出力部に音声を出力させ、これを交互に実行してもよい。あるいは、通信状態が維持されている間に決められた順序でそれぞれから音声を出力してもよい。このように上側電気錠および下側電気錠で交互に又は決められた順序で音声を出力することで、ユーザは感覚的に上側電気錠と下側電気錠との間で無線通信が適切に行われていることを認識できる。
【００８０】
また、上側電気錠および下側電気錠の動作に関する情報を上側電気錠および下側電気錠のそれぞれに設けられるＬＥＤランプに出力する場合、上記の音声で知らせる場合と同様にして上側電気錠および下側電気錠で交互にＬＥＤランプを発光させてもよく、決められた順序で発光させてもよい。例えばユーザは、ＬＥＤランプの点滅の仕方がスムーズでない場合に通信が滞っていることを感覚的に知ることができる。また、ＬＥＤランプの色で通信状態に関する情報をユーザに知らせてもよい。具体的には、通信状態が良好である場合には緑色に発光し、通信エラーの発生率が高まっている場合には黄色に発光し、通信エラーが生じていて、且つ、通信エラーの詳細が、空きチャネルが無いことである場合には赤色に発光し、通信エラーの詳細が、通信ノイズが予め定められた閾値よりも多いことである場合には白色に発光してもよい。
【００８１】
このように、音声や光で電気錠間の通信状態をユーザに知らせる場合において、ユーザが、上述した上側電気錠および下側電気錠のそれぞれに設けられる開始ボタンを順に押して、一方から他方に送信した信号の返答が確認できたときに、音声を出力したり発光したりしてもよい。
【００８２】
以上の複数の実施形態において、２つの電気錠は別個に電源を備える構成として説明した。この場合において、一方の電気錠に、２つの電気錠のそれぞれに対応する表示部を２つ設け、各電気錠の電源残量が予め定められた閾値を下回ったことを各表示部に警告表示させてもよい。この場合の動作の一例として、２つの電気錠のいずれか一方の電源残量が予め定められた閾値を下回ったときに、両方の表示部に警告表示させ、一方の電源交換が終了したら対応する表示部のみの警告表示を消し、続けて他方の電源交換も終了したら対応する表示部の警告表示も消す。当該動作によれば、電気錠間で、電源残量が予め定められた閾値を下回るタイミングに差が生じている場合にも、２つの電気錠の電源を一度に交換できるため、電気錠セットにおける電源交換頻度を減らすことができる。
【００８３】
以上の複数の実施形態において、主に、電気錠セットは、外部端末から要求を受けると、各電気錠の動作に関する情報を外部端末に出力する構成として説明した。追加的に又は代替的に、電気錠セットは、電気錠に設けられるボタンの押下によって発せられる信号により、各電気錠の動作に関する情報を電気錠の表示部に出力してもよく、そのようなトリガに拘わらず定期的に、各電気錠の動作に関する情報を電気錠の表示部または外部端末に出力してもよい。
【００８４】
以上の複数の実施形態において、電気錠セットは２つの電気錠からなる構成として説明した。これに代えて、電気錠セットは、３つ以上の電気錠からなってもよい。３つ以上の電気錠間での無線通信は相互に実行されてもよく、何れか１つをマスタと定めて他をスレイブと定める場合には、マスタと各スレイブとの間のみで無線通信が実行されてもよい。
【００８５】
以上の複数の実施形態において、制御部は、各電気錠に１つずつ設ける構成として説明した。これに代えて、制御部を、何れか１つの電気錠にのみ設ける構成としてもよい。また、電気錠セットが外部通信部を備える場合には、制御部を、複数の電気錠および外部通信部の何れか１つにのみ設ける構成としてもよい。電気錠セットが制御部を１つのみ備える場合、制御部は無線通信を利用して両電気錠の各構成を制御する。両電気錠が制御部を備えずに外部通信部のみが制御部を備える場合、制御部は外部通信部のみならず両電気錠の各構成も無線通信を利用して制御する。
【００８６】
以上の複数の実施形態において、各電気錠に設けられた制御部が、それぞれ各電気錠の動作に関する情報を出力するように制御する構成として説明した。これに代えて、何れか一方の電気錠に設けられた制御部のみが統括して、無線通信を利用し、両電気錠の動作に関する情報を出力するように制御してもよい。また、何れか一方の電気錠に設けられた制御部のみが統括して、無線通信を利用し、両電気錠の各構成の全て又は一部を制御してもよい。
【００８７】
以上の複数の実施形態において、メモリは、各電気錠に１つずつ設ける構成として説明した。これに代えて、メモリを、何れか１つの電気錠にのみ設ける構成としてもよい。また、電気錠セットが外部通信部を備える場合には、メモリを、複数の電気錠および外部通信部の何れか１つにのみ設ける構成としてもよい。電気錠セットがメモリを１つのみ備える場合、メモリは両電気錠の各種情報を記憶する。
【００８８】
以上の複数の実施形態において、メモリは、各電気錠に１つずつ設けて、各電気錠の各種情報を別個に記憶する構成として説明した。具体的には、上側電気錠に設けられたメモリは上側電気錠の各種情報を記憶し、下側電気錠に設けられたメモリは下側電気錠の各種情報を記憶するものとして説明した。これに代えて、上側電気錠に設けられたメモリは上側電気錠の各種情報のみならず下側電気錠の各種情報も記憶し、下側電気錠に設けられたメモリは下側電気錠の各種情報のみならず上側電気錠の各種情報も記憶してもよい。
【００８９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９１】
１０  電気錠システム、１２  ユーザ、１５  住居、１６  外側、１７  内側、２０  扉、２２  ハンドル、３０  携帯型端末、４０  操作盤、４５  ルータ、５０  ネットワーク、６０  サーバ装置、７０  ＰＣ、１００  電気錠セット、１１０  上側電気錠、１１２  上側制御部、１１３  上側通信部、１１４  上側リーダ、１１５  上側錠間通信部、１１６  上側サムターン、１１８  上側シリンダ、１２０  上側デッドボルト、１２２  上側シリンダカバー、１２４  上側内筐体、１２６  上側外筐体、１２８  上側アクチュエータ、１３０  上側音声出力部、１３２  上側電源、１３４  上側残量計測部、１３６  上側メモリ、１３８  上側位置検出部、１４０  上側開閉検出部、１５０  下側電気錠、１５２  下側制御部、１５３  下側通信部、１５４  下側リーダ、１５５  下側錠間通信部、１５６  下側サムターン、１５８  下側シリンダ、１６０  下側デッドボルト、１６２  下側シリンダカバー、１６４  下側内筐体、１６６  下側外筐体、１６８  下側アクチュエータ、１７０  下側音声出力部、１７２  下側電源、１７４  下側残量計測部、１７６  下側メモリ、１７８  下側位置検出部、１８０  下側開閉検出部、１９０  リーダ
【図１】
2018184763.tif 000003
【図２】
2018184763.tif 000004
【図３】
2018184763.tif 000005
【図４】
2018184763.tif 000006
【図５】
2018184763.tif 000007
【図６】
2018184763.tif 000008
【図７】
2018184763.tif 000009
【図８】
2018184763.tif 000010
【図９】
2018184763.tif 000011
【図１０】
2018184763.tif 000012
【図１１】
2018184763.tif 000013